(57)【特許請求の範囲】
【請求項１】
膨脹気室からなる気筒により形成された骨格と、該骨格に一体に設けられた天蓋と、支柱をグランドシートに設置してなる膨張型簡易ハウスであって、支柱底部の基盤の耳部の円周よりやや大きい円形のジッパー取付布の円周を一周して雌雄の対をなす一方のジッパーを周設し、該ジッパー取付布を前記基盤の地面に固着設置し、一方の縁部に対をなす他方のジッパーを縫着設置した帯状体の他方の縁部で前記グランドシートの前記支柱の基盤を囲繞する位置に円形に固着設置して支柱の底部とグランドシートを着脱自在にし、前記支柱の底部は二枚の円形の積層布を重ねて中心から所定の距離の位置を同心状に縫着結合して縫目と外周の間の部分が自由端となっている連結用バッチを形成し、前記連結用バッチの一面の気室底部用バッチを気室底面部に固着設置し、他方面の基盤用バッチを基盤の天面に固着設置して気室底面部と基盤とを結合したことを特徴とする膨脹型簡易ハウス。
【発明の詳細な説明】
【０００１】
【発明の属する技術分野】
本発明は、屋外に迅速に設営できる膨脹型簡易ハウス、特に、支柱をグランドシ−トに着脱自在にした膨脹型簡易ハウスに関するものである。
【０００２】
【従来の技術】
膨脹型簡易ハウスは、支柱、梁、棟、桟等の骨格を空気又はその他の慣用ガスで膨脹する気筒により形成し、この骨格に天蓋が一体に設けられ、支柱をグランドシ−トに設置して構成されている。
【０００３】
前記気筒からなる支柱の底部は、支柱の内径に合った円形の合板を、支柱の下端開口を塞ぐように挿入し、テ−プと接着剤を用いて、合板の周囲を支柱の内側と外側にそれぞれ接着し、表面に露出している合板の鏡面を被覆するように補強布を当てがって接着し、更に該補強布の周囲を支柱の外周に接着し、継目の上にテ−プを接着して補強し、円形の合板が支柱の気室壁の一部材として底面部を構成すると共に支柱の基盤となっている所謂気室内基盤構造に形成している。
【０００４】
また、これとは別に、気筒からなる支柱の底部は、膨脹して円筒を形成する支柱形成用筒の下端の開口部の裾を円筒の中心軸方向、即ち内側に折り曲げ、支柱の構成材と同じ積層材により、円筒の外径と略等しい円形に形成したものを底布として、開口部の外側に当てがって、折り曲げた裾と底布とを融着してできる底面部を気室壁の一部とし、この底面部に、２枚の積層材の間に合板のような硬材の円盤を封じ込めて密封形成した基盤の天面を接着剤で接着した所謂気室外基盤構造に形成されているものが知られている。
【０００５】
上述の気室内基盤構造又は気室外基盤構造になる支柱の底部をグランドシ−トに接着により固着し、或は着脱自在に設置している。
【０００６】
支柱をグランドシ−トに着脱自在に設置する手段としては、グランドシ−トの所定の位置に徳利袴のような筒受座を接着固定し、その筒受座の周縁と支柱の適宜箇所に設けた紐通孔のそれぞれを編み上げて連結するものが知られている。
【０００７】
【発明が解決しようとする課題】
この種の膨脹型簡易ハウスは、常時は、折り畳んで収納してあったものを、緊急時に搬送して空地や道路上に迅速に設営できるので、災害や事故で多数の負傷者が出た場合、臨時の医療処置室として利用されるが、このような医療処置室は応急的なものであるとしても、風雨に対して十分な安定性が要求され、一方このハウスは負傷者の医療処置室として使用した場合、グランドシ−トが汚れるので頻繁に洗浄しなければならないが、現場での洗浄には多々制約があって困難なものである。このため汚れたグランドシ−トを別のものと交換することが要求されている。
【０００８】
しかしながら、支柱をグランドシ−トに固着したものでは、膨脹型簡易ハウスの安定性は確保されるとしても、グランドシ−トの現場での交換は事実上不可能であり、それに加えて、支柱の底部が気室内基盤構造のものは、加工に手間と時間を要し、コスト高であり空気漏れの発生頻度も高い等の問題がある。
【０００９】
これに対し、支柱をグランドシ−トに着脱自在にするものでは、グランドシ−トの現場での交換は可能であるとしても、グランドシ−トを交換するために、紐を解いてシ−トを交換した後に再び紐通しに編み上げたりして支柱をシ−トから外したり、組み立てたりする作業は煩雑で長時間を要するものであり、しかも紐の緩み等によって支柱の安定性がなくなり、支柱の底部周辺にコスレを生じて膨脹気室になる支柱にとって致命的とも云える傷をつけたりする問題があり、しかも、このような着脱手段は構造複雑となって加工コストが著しく高くなる等の問題がある。
【００１０】
また、支柱をグランドシ−トに固着したものでは、グランドシ−トの交換性を備えさせるために、該グランドシ−トを支柱設置シ−ト部と本体シ−ト部とに分離し、これら支柱設置シ−ト部と本体シ−ト部とをジッパ−或はベルベットファスナ−等の連結具により接続自在に形成したものが知られている。しかし、このグランドシ−トは主要部となる本体シ−ト部の交換は容易可能となるが、グランドシ−トの連結部の盛り上がりが歩行者や車輪のバリヤ−となることがあり、またグランドシ−トの継目から地表を流れる水が流入してくる懸念もあった。加えて、折り畳んだ際に嵩張って折り畳み格納状態が大型となってしまう問題があった。
【００１１】
本発明は、風雨に対して安定して起立し、グランドシ−トと支柱との取付け取外しが容易且つ迅速にでき、更に、空気漏れの要因箇所を可及的に少なくし、加えて折り畳み格納時の小型化を実現すると共に加工コストを低減した膨脹型簡易ハウスを提供するものである。
【００１２】
【課題を解決するための手段】
上記目的を達成するために、本発明にかかる膨張型簡易ハウスは、膨張気室からなる気筒により形成された骨格と、該骨格に一体に設けられた天蓋と、支柱をグランドシ−トに設置してなる膨張型簡易ハウスであって、支柱底部の基盤の耳部の円周より略大きい円形のジッパ−取付布の円周を一周して雌雄の対をなす一方のジッパ−を周設し、前記ジッパ−取付布を前記基盤の地面に固着設置し、一方の縁部に対をなす他方のジッパ−を縫着設置した帯状体の他方の縁部で前記グランドシ−トの前記支柱の基盤を囲繞する位置に円形に固着設置することにより、支柱の底部とグランドシ−トを着脱自在にしてなる。
【００１３】
前記支柱の底部は二枚の円形の積層布を重ねて中心から所定の距離の位置を同心状に縫着結合して縫目と外周の間の部分が自由端となっている連結用パッチを形成し、前記連結用パッチの一面の気室底部用パッチを気室底面部に固着設置し、他方面の基盤用パッチを基盤の天面に固着設置してして気室底面部と基盤とを結合するのが好ましい。
【００１４】
連結用パッチは気室底面部用パッチの縫目と円周の間の自由端部分に多数の切欠部を設けて平面が歯車状又は菊花状を呈するように形成するのが好ましい。
【００１５】
【発明の実施の形態】
本発明の実施の形態を図面に基づいて説明すると、図１は本発明の膨脹型簡易ハウスの出入口面を一部切除して示す正面図で、本発明に係る膨脹型簡易ハウスは骨格を構成する支柱、梁、棟、桟が膨脹気室になり、天蓋が骨格と一体に設けられ、支柱１の底部をグランドシ−ト２の上に着脱自在に設置されている。
【００１６】
図２は支柱の底部とグランドシ−トを分離して示す斜視図、図３は支柱の底部とグランドシ−トとを分解して示す要部断面図、図４は支柱の底部をグランドシ−トに設置した状態の要部断面図を示し、支柱１の底部は、支柱１の気室底面部３と基盤４との間に連結用パッチ５を介在させて気室底面部３と基盤４とを一体に結合して形成し、前記支柱１の基盤４の地面に支柱側取付具６を一体に設置し、グランドシ−ト２にはグランドシ−ト側取付具７を設置し、互の支柱側取付具６とグランドシ−ト側取付具７を結合して支柱１の底部をグランドシ−ト２に着脱自在に設置する。
【００１７】
前記支柱１は、熱溶融性合成樹脂を基布の表面に積層した所謂熱融着性積層布を用いて、膨脹して円筒を形成する支柱形成用筒を作成し、その開口部を囲繞する裾の所定巾を筒の中心軸方向へ内側に折曲した裾部８の外面に、熱融着性積層布でなり支柱形成用筒の円周に略等しい周長をもつ円形の底布９を、熱融着積層同士が対面するように当てがって融着１０して膨脹式の支柱１の気室底面部３を形成する。
【００１８】
前記基盤４は、円形の熱融着性積層布からなる二枚の芯材被覆布１１．１２を熱融着積層面同士が対面するように重ね合わせ、芯材被覆布１１と１２の間に前記気室底面部３と略等しい直径の合板又は硬質合成樹脂のような硬材の芯材１３を介在させ、芯材１３の周囲に延出する芯材被覆布１１、１２の外周縁を融着１４させて耳部１５を有する円形に形成し、前記気室底面部３をグランドシ−ト２上に安座させる台座としての機能を備えさせる。
【００１９】
前記連結用パッチ５は、ゴム又は合成樹脂が基布の両面に積層されていて、前記気室底面部３と略等しい直径の二枚の積層布を背合わせに重ね合わせ、これらの中心から所定の位置に糸１６．１７で同心円状に縫い合わせて結合し、一面を前記気室底面部３、即ち、底布９に結合する気室底面部用パッチ１８とし、他面を前記基盤４の天面に結合する基盤用パッチ１９として形成する。前記気室底面部用パッチ１８と基盤用パッチ１９のそれぞれは前記糸１７の縫目より外周方向を自由端１８’、１９’とし、前記気室底面部用パッチ１８は、図５、図６に示すように、糸１７から外周の自由端１８’部分に一定間隔を置いて多数の切欠部２０を設けて平面が歯車又は菊花状を呈するように形成する。
【００２０】
前記支柱１の気室底面部３をなす底布９に前記連結用パッチ１３の歯車又は菊花状をなす気室底面部用パッチ１８を接着２１し、前記基盤４の天面に基盤用パッチ１９を接着２２して支柱１の底部を構成する。
【００２１】
前記支柱側取付具６は、ゴム又は合成樹脂を基布の両面に積層した積層布から、前記基盤４の耳部１５の円周よりやや大きい円形に形成したジッパ−取付布２３に、雌雄の組をなす雌ジッパ−２４をジッパ−取付布２３の周囲を一周させて縫着設置して形成する。該支柱側取付具６はジッパ−取付布２３の天面を前記基盤４の地面に接着２５により固着設置する。
【００２２】
前記グランドシ−ト側取付具７は、熱融着性積層布から所定巾を有してなる帯状体２６の長さ方向の一方の縁部に前記ジッパ−２１と組合う雄ジッパ−２７を縫着設置し、該帯状帯２６の他方の縁部を、前記グランドシ−ト２上の前記支柱１の底部を設置する位置に、前記支柱側取付具６のジッパ取付布２３の円周を囲繞する円形に融着２８して固着設置する。
【００２３】
前記支柱１の底部をグランドシ−ト２に取付ける場合、支柱１の底部をグランドシ−ト２上に設けられた円形のグランドシ−ト側取付具７の中に位置設置し、前記支柱側取付具６とグランドシ−ト側取付具７との互いの雌雄ジッパ−２４と２７とを噛合させて結合設置する。また、グランドシ−ト２を交換する場合、互いのジッパ−２４と２７との歯合を解除するだけでグランドシ−ト２を支柱１の底部から容易に離反させることができ、そして、新しいグランドシ−ト２のグランドシ−ト取付具７の中に支柱１の底部を位置設置して互いの雌雄のジッパ−２４と２７とを歯合させるだけで結合設置する。
【００２４】
支柱１に支えられる天蓋２９は骨格に一体に設置され、天蓋２９の裾３０に設けた有鈎ファスナ−３１とグランドシ−ト２に設けた有鈎ファスナ−３２とでグランドシ−ト２に着脱自在に取り付けてある。また、図１において、３３は発泡ゴムのような柔軟性のある材料でなる遮水壁で、グランドシ−ト２に設置され、天蓋２９の内側で囲繞している。３４はハウスの出入口に巻上げ自在に設置された遮蔽幕である。
【００２５】
なお、連結用パッチ５の気室底部用パッチ１８は、必ずしも歯車又は菊花状に形成する必要はなく、基盤用パッチ１９と同じ形状に形成してもよいこと勿論である。
【００２６】
【発明の効果】
本発明では、膨脹式支柱の基部を気室外基盤構造とし、この基盤と気室とを連結するのに、周辺が自由端となっている連結用パッチを介在させて、気室底部と基盤の天面との中央部を結合したため気室が膨脹したとき、その底部は、中央部のみが突出して膨脹することなく周辺部と均衡を保って膨脹して、平坦面である基盤の天面全域に、可及的に等圧の加重を加えるので安定性に富むものとなった。特に、連結用パッチの気室底部用パッチが、歯車又は菊花状になっているものでは、気室底部の周縁との接着面積を必要最小限にとどめてあるので、安定性は一層向上する。また、本発明では気室底部と基盤の天面との結合面積を小さくしてあるので、風雨で天蓋が煽られても、その振れは減少されて基盤に加わるので、支柱基部とグランドシ−トとのジッパ−による結合機構に及ぼす影響は僅少となる。更に、本発明では、支柱基部を気室外基盤構造、支柱基部とグランドシ−トとをジッパ−で結合する構造のものとしたので、気室内基盤構造のものに比し、加工が容易で、空気漏れの要因が減少したし、ジッパ−での結合はグランドシ−トの着脱を容易に迅速になし得るし、統合的に価格を低減させた。
【００２７】
本発明の膨張型ハウスは、収納時の嵩ばりや損耗するのが低減され、編上げ固定式のものに比し重量も低減され、設営は迅速、且つ容易になし得、風雨に対する安定性、対抗性は著しく向上し、グランドシ−トの交換が迅速且つ容易になし得る等、従来の各種のものに比し性能的にも価格的にも優れている
【図面の簡単な説明】
【図１】本発明の膨脹型簡易ハウスの出入口面を示す一部切除した正面図である。
【図２】本発明の支柱の底部とグランドシ−トを分離して示す斜視図である。
【図３】本発明の支柱の底部とグランドシ−トを分解して示す断面図である。
【図４】本発明の支柱の底部をグランドシ−トに設置した状態の要部断面図である。
【図５】本発明の連結用パッチの平面図である。
【図６】本発明の連結用パッチの断面図である。
【符号の説明】
１      支柱
２      グランドシ−ト
３      気室底面部
４      基盤
５      連結用パッチ
６      支柱側取付具
７      グランドシ−ト側取付具
１５    耳部
１６    糸
１７    糸
１８    気室底面用パッチ
１９    基盤用パッチ
２０    切欠部
２３    取付布
２４    雌ジッパ−
２６    帯状体
２７    雄ジッパ−
２９    天蓋
【図１】
0003673978.tif 000002
【図２】
0003673978.tif 000003
【図３】
0003673978.tif 000004
【図４】
0003673978.tif 000005
【図５】
0003673978.tif 000006
【図６】
0003673978.tif 000007